(57)【要約】      （修正有） 【課題】容易に着脱することができる着脱式収納部材を提供する。【解決手段】貼付対象部材１６に対して着脱可能な着脱式収納部材１０であって、被収納物１８を収納する収納部本体１２と、収納部本体１２と貼付対象部材１６との間に介在し、収納部本体１２の貼付対象部材１６に対する着脱を可能にする接着部１４と、を有する。【選択図】図２
0003190558.tif 000002
【実用新案登録請求の範囲】
【請求項１】
貼付対象部材に対して着脱可能な着脱式収納部材であって、
被収納物を収納する収納部本体と、
前記収納部本体と前記貼付対象部材との間に介在し、前記収納部本体の前記貼付対象部材に対する着脱を可能にする接着部と、
を有することを特徴とする着脱式収納部材。
【請求項２】
前記貼付対象部材は、手帳又はノート類であり、
前記収納部本体は、筆記具を収納することを特徴とする請求項１に記載の着脱式収納部材。
【請求項３】
前記貼付対象部材は、財布であり、
前記収納部本体は、カード類を収納することを特徴とする請求項１に記載の着脱式収納部材。
【考案の詳細な説明】
【技術分野】
【０００１】
本考案は、例えば、手帳等に対して着脱可能な着脱式収納部材に関する。
【背景技術】
【０００２】
従来では、貼り付けポケットが知られている。貼り付けポケットは、ポケット袋の一面に粘着剤あるいは両面テープを貼り、衣類の必要な箇所に貼り付けて使用するものである（下記特許文献１参照）。
【先行技術文献】
【特許文献】
【０００３】
【特許文献１】特開２０００−２７３７０９号公報
【考案の概要】
【考案が解決しようとする課題】
【０００４】
ところで、上記従来技術は、衣類に貼り付けるポケットであるため、用途が限られている。また、一旦、衣類にポケットを貼り付けると、例えば洗濯する直前にポケットを取り外すことがあり、このときポケットが衣類から容易に取り外すことができないおそれがある。
【０００５】
そこで、本考案は、上記問題を解決するためのものであり、容易に着脱することができる着脱式収納部材を提供することを目的とする。
【課題を解決するための手段】
【０００６】
本考案は、貼付対象部材に対して着脱可能な着脱式収納部材であって、被収納物を収納する収納部本体と、前記収納部本体と前記貼付対象部材との間に介在し、前記収納部本体の前記貼付対象部材に対する着脱を可能にする接着部と、を有することを特徴とする。
【０００７】
前記貼付対象部材は、手帳又はノート類であり、前記収納部本体は、筆記具を収納することが好ましい。
【０００８】
前記貼付対象部材は、財布であり、前記収納部本体は、カード類を収納することが好ましい。
【考案の効果】
【０００９】
本考案によれば、収納部本体を接着部によって貼付対象部材に着脱自在に取付ける。そして、収納部本体に被収納物を収納して使用する。これにより、貼付対象部材に収納機能がない場合でも、着脱式収納部材を取り付けることにより被収納物を収納することができる。また、着脱式収納部材は貼付対象部材から容易に取り外すことができ、使い勝手が良くなる。
【００１０】
また、貼付対象部材が手帳又はノート類であり、収納部本体には筆記具が収納される構成でもよい。これにより、手帳又はノート類に収納機能が不足していても、手帳又はノートの使用時に必要不可欠な筆記具を収納することができ、便利である。
【００１１】
また、貼付対象部材が財布であり、収納部本体にはカード類が収納される構成でもよい。これにより、財布に収納可能が不足していても、財布に収納したいカード類を収納することができ、便利である。
【図面の簡単な説明】
【００１２】
【図１】本考案の一実施形態の着脱式収納部材の正面図である。
【図２】本考案の一実施形態の着脱式収納部材が貼付対象部材に貼り付けられた状態を示した側面図である。
【図３】本考案の一実施形態の着脱式収納部材の第１実施例を示した斜視図である。
【図４】本考案の一実施形態の着脱式収納部材の第２実施例を示した斜視図である。
【図５】本考案の一実施形態の着脱式収納部材の第３実施例を示した斜視図である。
【図６】本考案の第１実施形態の着脱式収納部材の複数種類をセットとして入れ物に収容した状態を示す平面図である。
【考案を実施するための形態】
【００１３】
本考案の一実施形態に係る着脱式収納部材について、図面を参照して説明する。
【００１４】
図１及び図２に示すように、着脱式収納部材１０は、貼付対象部材１６に対して着脱可能なものであり、主として、被収納物１８を収納する収納部本体１２と、収納部本体１２と貼付対象部材１６との間に介在して収納部本体１２の貼付対象部材１６に対する着脱を可能にする接着部１４と、を有する。
【００１５】
収納部本体１２は、例えば、袋状に形成されており、様々な物を内部に収納することが可能である。収納部本体１２は、例えば、紙類、革類、ナイロン類、ゴム類、ビニール等の合成樹脂などで構成されており、特に材質が限定されるものではない。具体的には、収納部本体１２は、ポリプロピレン、シリコン等も適している。
【００１６】
収納部本体１２に収納される被収納物１８は、文房具から小物類まで様々な物が含まれる。
【００１７】
貼付対象部材１６は、着脱式収納部材１０が着脱自在に取り付けられるものであり、システム手帳などの文房具類、財布、鞄、小物類まで様々なものが対象になる。
【００１８】
接着部１４は、例えば、接着剤、接着シール、両面テープ等を使用することができる。接着部１４の接着力は、収納部本体１２が貼付対象部材１６に着脱自在に取り付けられることが可能な程度に設定されている。収納部本体１２は、接着部１４の作用によって貼付対象部材１６に対して複数回の貼り付けが可能になり、あるいは複数回取り外すことが可能になる。
【００１９】
本実施形態によれば、貼付対象部材１６の収納機能がなく、あるいは十分ではない場合には、収納部本体１２を接着部１４によって貼付対象部材１６に取り付けることにより、被収納物１８を収納することが可能になる。これにより、貼付対象部材１６の収納機能を一時的に高めることができる。また、貼付対象部材１６の収納機能が必要ない場合には、着脱式収納部材１０を貼付対象部材１６から容易に取り外すことができる。
【００２０】
次に、本考案の実施例について説明する。
【００２１】
（第１実施例）
図３に示すように、第１実施例では、貼付対象部材１６が手帳又はノート類であり、収納部本体１２が筆記具２２を収納するペン収納袋２０である。
【００２２】
筆記具２２として、例えば、鉛筆、シャープペンシル、鉛筆、ボールペン、万年筆などが対象になる。
【００２３】
貼付対象部材１６として、例えば、システム手帳や大学ノート等のノート類、鞄などが含まれる。
【００２４】
（第２実施例）
図４に示すように、第２実施例では、貼付対象部材１６が財布であり、収納部本体１２がカード類３０を収納するカード収納部２４である。カード収納部２４として、例えば、ポケット２８にキャッシュ・クレジットカード３２を収納できる財布用収納部２６が一例として上げられる。
【００２５】
カード類として、例えば、クレジットカード、キャッシュカードなどのカード類、あるいは定期券又はプリペイドカードとして使用できる電子マネーカード類が該当する。
【００２６】
貼付対象部材１６として、例えば、財布、鞄などが該当する。
【００２７】
（第３実施例）
図５に示すように、第３実施例では、カード収納部２４の一例として、例えば、内部に収納した通勤・通学定期用カード３８（電子マネーカード・ＩＣカードを含む）を開口部３６から指で押圧操作してスライドさせる通勤・通学定期用収納部３４を採用してもよい。
【００２８】
なお、その他の変形例では、図示しないが、カード収納部２４の一例として、例えば、内部に収納した名刺を開口部から指で押圧操作してスライドさせる名刺用収納部を採用してもよい。
【００２９】
次に、本考案の各実施例の販売方法について説明する。
【００３０】
（販売方法）
図６に示すように、収納部本体１２として、複数の収納部本体１２、例えばペン収納袋２０と通学・通勤定期用収納部３４と財布用収納部２６とをセットとして適切な入れ物４０に収容し、販売あるいは商取引を実行することが可能である。
【００３１】
このとき、接着部１４は、収納部本体１２に予め取り付けられている態様でもよいし、入れ物４０に別個独立にセットしておき、使用時に収納部本体１２に取り付ける態様でもよい。
【００３２】
なお、上記実施形態及び各実施例は、一例を示したものである。本考案は、これらの用途に限定されるものではなく、技術的思想の範囲に属する全ての態様が含まれる。
【符号の説明】
【００３３】
１０      着脱式収納部材
１２      収納部本体
１４      接着部
１６      貼付対象部材
１８      被収納物
２０      ペン収納袋
２２      筆記具
２４      カード収納部
２６      財布用収納部
２８      ポケット
３０      カード類
３２      キャッシュ・クレジットカード
３４      通勤・通学定期用収納部
３６      開口部
３８      通勤・通学定期用カード
４０      入れ物
【図１】
0003190558.tif 000003
【図２】
0003190558.tif 000004
【図３】
0003190558.tif 000005
【図４】
0003190558.tif 000006
【図５】
0003190558.tif 000007
【図６】
0003190558.tif 000008